(57)【要約】磁気媒体を検査するための方法および装置を開示する。本方法は、強度が時間的に変動する磁場を印加する段階；偏光された光ビームを、磁場内にある媒体の部分へ向けて方向付ける段階であって、前記光ビームが磁場内の入射点で媒体の表面によって反射される、段階；入射点が表面上のトラックに沿って複数のセクタのそれぞれを繰り返し横切るようにするべく媒体を光ビームに対して移動させる段階；反射された光ビームの一連のカー信号測定値を得る段階；個々の組における測定値が、前記セクタのうちの対応するセクタ内に入射点が存在していた間に得られた測定値となるようにするべく、測定値を組へと群分けする段階；および対応する組における測定値から、少なくとも1つのセクタの少なくとも1つの磁気特性を決定する段階を含む。2010537355.tif 000005
2010537355.tif 000002
【特許請求の範囲】
【請求項１】
強度が時間的に変動する磁場を、磁気媒体の一部に対して印加するように構成されている磁場発生サブシステム；
偏光された光ビームを、磁場内にある磁気媒体の部分へ向けて方向付けるように構成されている光発生サブシステムであって、前記光ビームが前記磁場内の入射点で前記磁気媒体の表面によって反射される、光発生サブシステム；
入射点が磁気媒体の表面上のトラックに沿って複数のセクタのそれぞれを繰り返し横切るようにするべく磁気媒体を光ビームに対して移動させるように構成されている運動サブシステム；
反射された光ビームの一連のカー信号測定値を得るように構成されている測定サブシステム；および
個々の組におけるカー信号測定値が、前記セクタのうちの対応するセクタ内に入射点が存在していた間に得られたカー信号測定値となるようにするべく、一連のカー信号測定値を組へと群分けするように構成された制御サブシステムであって、対応する組におけるカー信号測定値から、少なくとも1つのセクタの少なくとも1つの磁気特性を決定するように更に構成されている制御サブシステム
を備える、磁気媒体を検査するための装置。
【請求項２】
磁気媒体が中心を有する円形であり、かつ運動サブシステムが、前記中心を通る軸を中心に前記磁気媒体を回転させるためのスピンドルを備える、請求項1記載の装置。
【請求項３】
運動サブシステムが、入射点を含む円形トラックが特定の被検査トラックに対応するようにスピンドルを平行移動させるための運動ステージを更に備える、請求項2記載の装置。
【請求項４】
光発生サブシステムが光源および偏光器を備える、請求項1記載の装置。
【請求項５】
光発生サブシステムが、光源の出力を偏光器を通して方向付けるための少なくとも1つのミラーを更に備える、請求項4記載の装置。
【請求項６】
測定サブシステムが、反射された光ビームを認識するための偏光解析器、および該偏光解析器に結合された光検出器を備える、請求項4記載の装置。
【請求項７】
偏光解析器が、偏光器の光軸からオフセットされた光軸を有する、請求項6記載の装置。
【請求項８】
光検出器が、該光検出器の出力を増幅するための増幅器を更に備える、請求項6記載の装置。
【請求項９】
制御サブシステムが、光検出器の出力を測定値を表すデジタルサンプルへと変換するためのアナログ-デジタル変換器、および前記デジタルサンプルを記憶するためのメモリを備える、請求項6記載の装置。
【請求項１０】
制御サブシステムが、磁気媒体の回転の速度、カー信号測定値を得る速度、および印加磁場の強度の変化を規定するプロファイルに基づいて一連の測定値の組への群分けを行うコントローラを備える、請求項2記載の装置。
【請求項１１】
制御サブシステムが、印加磁場の強度の変化を規定するプロファイルをユーザが設定できるようにするコンピュータ制御パネルを備える、請求項10記載の装置。
【請求項１２】
制御サブシステムが、少なくとも1つのセクタの少なくとも1つの磁気特性を示す図形(graphical)情報を表示するようにディスプレイユニットを駆動させるための命令を実行するコンピュータユニットを備える、請求項1記載の装置。
【請求項１３】
コンピュータユニットが、セクタのうちの複数のセクタの少なくとも1つの磁気特性を示す図形情報を同時に表示するようにディスプレイユニットを駆動させるための命令を更に実行する、請求項12記載の装置。
【請求項１４】
少なくとも1つの磁気特性が残留磁気を含む、請求項1記載の装置。
【請求項１５】
少なくとも1つの磁気特性が磁気保磁力を含む、請求項1記載の装置。
【請求項１６】
強度が時間的に変動する磁場を、磁気媒体の一部に対して印加する段階；
偏光された光ビームを、磁場内にある磁気媒体の部分へ向けて方向付ける段階であって、前記光ビームが前記磁場内の入射点で前記磁気媒体の表面によって反射される、段階；
入射点が磁気媒体の表面上のトラックに沿って複数のセクタのそれぞれを繰り返し横切るようにするべく磁気媒体を光ビームに対して移動させる段階；
反射された光ビームの一連のカー信号測定値を得る段階；および
個々の組におけるカー信号測定値が、前記セクタのうちの対応するセクタ内に入射点が存在していた間に得られたカー信号測定値となるようにするべく、一連のカー信号測定値を組へと群分けする段階；および
対応する組におけるカー信号測定値から、少なくとも1つのセクタの少なくとも1つの磁気特性を決定する段階
を含む、磁気媒体を検査する方法。
【請求項１７】
印加磁場の一連の磁場強度測定値を得る段階であって、前記磁場強度測定値がカー信号測定値と同期して得られる、段階；
個々の組における磁場強度測定値が、前記セクタのうちの対応するセクタ内に入射点が存在していた間に得られた磁場強度測定値となるようにするべく、一連の磁場強度測定値を組へと群分けする段階；ならびに
カー信号測定値の対応する組におけるカー信号測定値から、および磁場強度測定値の対応する組における磁場強度測定値から、少なくとも1つのセクタの少なくとも1つの磁気特性を決定する段階
を含む、請求項16記載の方法。
【請求項１８】
少なくとも1つのセクタの少なくとも1つの磁気特性を決定する段階が、
カー信号測定値の対応する組におけるカー信号測定値を、磁場強度測定値の対応する組における磁場強度測定値に対してプロットすることにより、ヒステリシスループを得ること；および
ヒステリシスループから、少なくとも1つの磁気特性を得ること
を含む、請求項17記載の方法。
【請求項１９】
少なくとも1つの磁気特性が残留磁気を含む、請求項18記載の方法。
【請求項２０】
少なくとも1つの磁気特性が磁気保磁力を含む、請求項18記載の方法。
【請求項２１】
移動させる段階が回転させることを含み、セクタのそれぞれが、磁気媒体が1回転を行うのにかかる時間に対応する周期のパルス磁場にさらされる、請求項16記載の方法。
【請求項２２】
カー信号測定値が、磁場が無いときの基準方向に対する偏光回転角を示す、請求項16記載の方法。
【請求項２３】
反射光ビームからカー信号測定値を得るために、反射光ビームが偏光解析器および光検出器によって処理される、請求項16記載の方法。
【請求項２４】
カー信号測定値を得るために光検出器の出力をサンプリングする段階を更に含む、請求項23記載の方法。
【請求項２５】
カー信号測定値を得るために光検出器の増幅された出力をサンプリングする段階を更に含む、請求項23記載の方法。
【請求項２６】
サンプリングする段階が、所定のサンプリングレートで行われ、群分けする段階が、前記サンプリングレートの関数として行われる、請求項25記載の方法。
【請求項２７】
移動させる段階が回転させることを含み、群分けする段階が、磁気媒体が回転する速度の関数としても行われる、請求項26記載の方法。
【請求項２８】
群分けする段階が、セクタのそれぞれの円弧長さの関数としても行われる、請求項27記載の方法。
【請求項２９】
磁気媒体の新たな回転を示すためにトリガ信号を提供する段階を更に含む方法であって、群分けする段階が、前記トリガ信号が受け取られる時期の関数としても行われる、請求項28記載の方法。
【請求項３０】
磁気媒体の回転と同期してクロック信号を提供する段階を更に含む方法であって、サンプリングする段階が前記クロック信号と同期される、請求項27記載の方法。
【請求項３１】
磁場を印加する段階が、所定のプロファイルにしたがって、所定の値の範囲にわたって磁場の強度を掃引することを含む、請求項30記載の方法。
【請求項３２】
プロファイルがユーザによって設定される、請求項31記載の方法。
【請求項３３】
カー信号測定値が、入射点における磁気光学カー効果の兆候を示す、請求項16記載の方法。
【請求項３４】
特定のセクタに対応するカー信号測定値の組における各測定値が、入射点による前記特定のセクタの1回の横断中に取得されるカー信号の複数のサンプルの平均である、請求項16記載の方法。
【請求項３５】
入射点を含む円形トラックが特定の被検査トラックに対応するように、磁気ディスクを平行移動させる段階を事前段階として更に含む、請求項33記載の方法。
【請求項３６】
被検査トラックのユーザから知識を受け取る段階を更に含む、請求項35記載の方法。
【請求項３７】
少なくとも2つのセクタの少なくとも1つの磁気特性を同時に図形により伝える段階を更に含む、請求項36記載の方法。
【請求項３８】
方向付ける段階が、連続的なカー信号測定値の取得ごとに光ビームがオフにされて再びオンにされるように間欠的である、請求項16記載の方法。
【請求項３９】
強度が時間的に変動する磁場を、磁気媒体の一部に対して印加するための手段；
偏光された光ビームを、磁場内にある磁気媒体の部分へ向けて方向付けるための手段であって、前記光ビームが前記磁場内の入射点で前記磁気媒体の表面によって反射される、手段；
入射点が磁気媒体の表面上のトラックに沿って複数のセクタのそれぞれを繰り返し横切るようにするべく磁気媒体を光ビームに対して移動させるための手段；
反射された光ビームの一連のカー信号測定値を得るための手段；
個々の組におけるカー信号測定値が、前記セクタのうちの対応するセクタ内に入射点が存在していた間に得られたカー信号測定値となるようにするべく、一連のカー信号測定値を組へと群分けするための手段；および
対応する組におけるカー信号測定値から、少なくとも1つのセクタの少なくとも1つの磁気特性を決定するための手段
を備える、磁気媒体を検査するための装置。
【請求項４０】
命令を含むコンピュータ可読媒体であって、
前記命令がコンピュータ装置によって実行されると、該命令が、
測定値の時系列を受け取る段階であって、各測定値が、磁気媒体の複数のセクタの中からの個々のセクタ内での磁気光学カー効果の兆候を潜在的に表す、段階；
測定値の時系列を測定値群の組へと群分けする段階であって、異なる組からの群が、時間インターリーブ処理(time-interleave)され、前記セクタのうちの個々のセクタ内での磁気光学カー効果の兆候を潜在的に表す測定値が、前記組のうちの同じ組内からの測定値群の中に分布している、段階；
前記組のうちの対応する組における測定値群から、前記セクタのうちの複数のセクタの少なくとも1つの磁気特性を決定する段階；および
前記セクタのうちの複数のセクタの少なくとも1つの磁気特性の表示を出力する段階
を含む方法を、コンピュータ装置に実施させる、
コンピュータ可読媒体。
【請求項４１】
出力する段階が、セクタのうちの複数のセクタの少なくとも1つの磁気特性を同時に図形により伝えることを含む、請求項40記載のコンピュータ可読媒体。
【発明の詳細な説明】
【技術分野】
【０００１】
関連出願の相互参照
本出願は、参照により本明細書に組み入れられる2007年8月13日に出願されたAnらの米国仮特許出願第60/935,433号の35 U.S.C.119(e)に基づく恩典を主張する。
【０００２】
発明の分野
本発明は、一般に磁気媒体の検査に関し、特に、磁気ディスクを含む磁気媒体の磁気特性を動的に検査するための方法および装置に関する。
【背景技術】
【０００３】
背景
コンピュータハードディスクなどの磁気媒体は、データを記憶するために磁気特性に依存する。ディスクが特定の品質基準を満たすようにするために、時々、特に製造プロセス中に、これらの磁気特性を検査する必要がある。
【０００４】
対象となる2つの重要な磁気特性には、残留磁気および保磁力が含まれる。保磁力(典型的に、エルステッドの単位で表される)とは、強磁性体のサンプルの磁化を該サンプルの磁化が飽和状態に至った後にゼロまで減少させるために必要とされる印加磁場の強度のことである。一方、残留磁気(典型的に、アンペア/mの単位で表される)とは、外部磁場が除去された後にサンプル中に残留する磁化のことである。
【０００５】
ディスクの保磁力および残留磁気は以下の方法で測定することができる。プラス値からマイナス値へと至った後にその当初のプラス値へと戻る、特定の掃引速度を伴って、磁場がディスクに対して印加される。偏光されたレーザビームが、磁場にさらされるディスク表面の対象点へ向けて照射される。ビームはディスク表面によって反射される。磁気光学カー効果(MOKE)として知られるものに起因して、反射されたビームは、ディスク表面の磁気特性に依存する所定の大きさの偏光回転を受ける。偏光角の変化を呈する反射ビームの成分は「カー信号」として知られる。カー信号が磁場の掃引中に何度もサンプリングされ、取得された測定値からヒステリシスループがプロットされる。これにより、磁気ディスクの保磁力および残留磁気を(対象点で)決定することができる。ディスク表面の第2の対象点またはそれ以後の対象点で磁気ディスクの保磁力および残留磁気を決定するためには、ディスク位置が変えられて、プロセスが繰り返される。
【０００６】
磁場の掃引は数秒を要するため、多数の対象点(例えば、トラックの、異なるセクタ)の検査には、数時間とまではいかなくとも数分を要する可能性があることは明らかである。1枚のディスクを検査するための時間のこの長さは、非効率的であると見なされ得る。したがって、業界においては、媒体の複数の領域をより効率的に検査できる、磁気媒体の磁気特性を検査するための装置および方法の必要性がある。
【発明の概要】
【０００７】
以下で更に詳しく説明する場合において、前述した磁気光学カー効果を使用してハードディスク媒体の磁気保磁力および残留磁気を動的にマッピングするための方法が提供される。この方法では、印加磁場が掃引される間に磁気ディスクが回転されて、カー信号が取得される。全体の効果として、捕捉データは、1つの点からのみのものではなく、実際のあるいは概念的なセクタに分割されるリング(トラック)からのものである。回転角、印加磁場およびカー信号のサンプリングの全てが同相で同期される。その後、取得されたカー信号データは、それぞれの回転を基にセクタ毎にセグメント化され、複数の回転にわたる同じセクタにおける結果が組(ensemble)を形成する。その後、各組は、関連するセクタの保磁力および残留磁気を決定するために使用され、その後、トラックの様々なセクタにおける保磁力および残留磁気の分布が(例えば図形により)伝えられる。1つのトラック(各トラックは、円弧長さに沿う複数の点からなる)上の全てのセクタに関する測定値を取得するのに要する時間は、従来の手法においてトラック上のたった1つの点に関して測定値を取得するために必要とされる時間とほぼ同じ時間である。
【０００８】
したがって、本発明の第1の局面は、以下を備える、磁気媒体を検査するための装置を提供しようとするものである：
強度が時間的に変動する磁場を、磁気媒体の一部に対して印加するように構成されている磁場発生サブシステム；
偏光された光ビームを、磁場内にある磁気媒体の部分へ向けて方向付けるように構成されている光発生サブシステムであって、前記光ビームが前記磁場内の入射点で前記磁気媒体の表面によって反射される、光発生サブシステム；
入射点が磁気媒体の表面上のトラックに沿って複数のセクタのそれぞれを繰り返し横切るようにするべく磁気媒体を光ビームに対して移動させるように構成されている運動サブシステム；
反射された光ビームの一連のカー信号測定値を得るように構成されている測定サブシステム；および
個々の組におけるカー信号測定値が、前記セクタのうちの対応するセクタ内に入射点が存在していた間に得られたカー信号測定値となるようにするべく、一連のカー信号測定値を組へと群分けするように構成されている制御サブシステムであって、対応する組におけるカー信号測定値から、少なくとも1つのセクタの少なくとも1つの磁気特性を決定するように更に構成されている制御サブシステム。
【０００９】
本発明の第2の局面は、以下の段階を含む、磁気媒体を検査する方法を提供しようとするものである：
強度が時間的に変動する磁場を、磁気媒体の一部に対して印加する段階；
偏光された光ビームを、磁場内にある磁気媒体の部分へ向けて方向付ける段階であって、前記光ビームが前記磁場内の入射点で前記磁気媒体の表面によって反射される、段階；
入射点が磁気媒体の表面上のトラックに沿って複数のセクタのそれぞれを繰り返し横切るようにするべく磁気媒体を光ビームに対して移動させる段階；
反射された光ビームの一連のカー信号測定値を得る段階；
個々の組におけるカー信号測定値が、前記セクタのうちの対応するセクタ内に入射点が存在していた間に得られたカー信号測定値となるようにするべく、一連のカー信号測定値を組へと群分けする段階；および
対応する組におけるカー信号測定値から、少なくとも1つのセクタの少なくとも1つの磁気特性を決定する段階。
【００１０】
本発明の第3の局面は、以下の手段を含む、磁気媒体を検査するための装置を提供しようとするものである：
強度が時間的に変動する磁場を、磁気媒体の一部に対して印加するための手段；
偏光された光ビームを、磁場内にある磁気媒体の部分へ向けて方向付けるための手段であって、前記光ビームが前記磁場内の入射点で前記磁気媒体の表面によって反射される、手段；
入射点が磁気媒体の表面上のトラックに沿って複数のセクタのそれぞれを繰り返し横切るようにするべく磁気媒体を光ビームに対して移動させるための手段；
反射された光ビームの一連のカー信号測定値を得るための手段；および
個々の組におけるカー信号測定値が、前記セクタのうちの対応するセクタ内に入射点が存在していた間に得られたカー信号測定値となるようにするべく、一連のカー信号測定値を組へと群分けするための手段；および
対応する組におけるカー信号測定値から、少なくとも1つのセクタの少なくとも1つの磁気特性を決定するための手段。
【００１１】
本発明の第4の局面は、命令を含むコンピュータ可読媒体を提供しようとするものであり、前記命令がコンピュータ装置によって実行されると、該命令が、以下の段階を含む方法をコンピュータ装置に実施させる：
測定値の時系列を受け取る段階であって、各測定値が、磁気媒体の複数のセクタの中からの個々のセクタ内での磁気光学カー効果の兆候を潜在的に表す、段階；
測定値の時系列を測定値群の組へと群分けする段階であって、異なる組からの群が、時間インターリーブ処理(time-interleave)され、前記セクタのうちの個々のセクタ内での磁気光学カー効果の兆候を潜在的に表す測定値が、前記組のうちの同じ組内からの測定値群の中に分布している、段階；
前記組のうちの対応する組における測定値群から、前記セクタのうちの複数のセクタの少なくとも1つの磁気特性を決定する段階；および
前記セクタのうちの複数のセクタの少なくとも1つの磁気特性の表示を出力する段階。
【図面の簡単な説明】
【００１２】
【図１】外部印加磁場にさらされる磁気媒体で起こる磁気光学カー効果を概念的に示す。
【図２】図2A〜図2Cは、磁気媒体の偏光方向に応じた磁気光学カー効果の異なるタイプを示す。
【図３】本発明の非限定的な態様に係る複数のセクタを有する磁気ディスクを検査するために使用されるテストベッドのブロック図である。
【図４】図4Aおよび図4Bは、印加磁場によって確立される磁極の異なる方向を概念的に示す。
【図５】印加磁場の変化の過程の全体にわたって図3のテストベッドにより得られる測定値の時系列を示す。
【図６】磁気ディスクの個々のセクタに対応する測定値の組の識別表示を示す。
【図７】磁気ディスクの個々のセクタに対応する測定値の組から得られるヒステリシスループからの残留磁気および保磁力の導出を示す。
【図８】図8Aおよび図8Bは、図3のテストベッドを使用する検査の結果として磁気ディスクの様々なセクタによって示されると認められる特定の磁気特性の代替の図形(graphical)表示を示す。
【図９】処理作業を実行しならびに図8Aおよび図8Bの図形表示を伝えるように構成され得るコンピュータユニットを示す。
【発明を実施するための形態】
【００１３】
詳細な説明
本発明の態様は磁気媒体の磁気特性の検査に関する。磁気媒体は、該媒体の表面上に、データが磁気的に書き込まれて読み取られる領域を含む。そのような領域を「トラック」と称することができ、また、実際にはまたは概念的には、「トラック」を複数の「セクタ」に分割することができる。本発明の態様を使用して検査することができる磁気媒体の非限定的な例には、コンピュータハードディスクが含まれる。
【００１４】
本発明の態様を詳しく説明する前に、磁気光学カー効果(MOKE)として知られて図1に概略的に示されるものの一般的な原理を簡単に説明することが有益である。「偏光面」内で偏光を示す光ビーム10が印加磁場の影響下で磁気媒体12に入射すると、入射光ビーム10が磁気媒体によって反射され、それにより、印加磁場が無いときに示される基準方向に対して偏光回転角だけ回転される面内で偏光を伴う反射光ビーム14が生じる。Φで示される偏光回転角は、磁気媒体12の磁化にファクタfだけ比例する。ここで、fは磁気媒体自体に依存する。
【００１５】
磁気媒体12の磁化が磁気媒体12の表面と平行で且つ入射光ビーム10の面内にある場合(図2A参照)、これが「縦」カー効果をもたらす。磁気媒体12の磁化が磁気媒体12の表面と平行であるが入射光ビーム10の面と直交する場合には(図2B参照)、これが「横」カー効果をもたらす。磁気媒体12の磁化が磁気媒体12の表面と直交し且つ入射光ビーム10の面内にある場合(図2C参照)、これが「極」カー効果をもたらす。
【００１６】
図3は、本発明の特定の非限定的な態様に係る前述した磁気光学カー効果を使用して磁気媒体の磁気特性を検査するために使用することができる装置(「テストベッド」)402のブロック図である。この非限定的な例では、検査される磁気媒体が磁気ディスク404であるが、これを限定的であるとして解釈すべきではない。テストベッド402は、特定の磁気特性(保磁力および残留磁気を含む)によって特徴付けられるような磁気ディスク404のデータ記録・記憶機能の評価を行うことができる。
【００１７】
テストベッド402は、磁気ディスク404などの磁気媒体の磁気特性の検出および測定を可能にする以下のサブシステムから構成されうる。
磁気ディスク404によって反射されると反射光ビーム413をもたらす入射光ビーム412を発生させるための、光発生サブシステム；
所与の時間に磁気ディスク404のトラックの一部(「被検査トラック」)に印加される磁場の、方向および強度を制御する磁場発生サブシステム；
磁気ディスク404および被検査トラックの回転を制御するために使用される運動サブシステム；
反射光ビーム413の偏光回転角Φを示すカー信号を検出するための、測定サブシステム；
印加磁場、ディスク位置、およびカー信号の瞬間値を取得して、測定値をセクタ毎に群分けするとともに、被検査トラックの個々のセクタの磁気特性を得るために取得値を処理するための処理サブシステム。
【００１８】
以下、これらのサブシステムを備える個々の構成要素に関する更なる詳細ならびにテストベッド402の動作の説明を本発明の特定の非限定的な態様との関連で行う。
【００１９】
光発生サブシステム
光発生サブシステムは、光ビームシステム411、光学ミラー414、および偏光器415を含む光ビーム発生ユニットを含む。光ビームシステム411は入射光ビーム412を発生させ、入射光ビーム412は、光学ミラー414により、偏光器415を介して磁気ディスク404の表面へと方向付けられる。偏光器415は、このビームが入射点419で磁気ディスク404の表面に達する前に、入射光ビーム412に対して特定の面内で偏光を与える。入射点419は、入射光ビーム412が磁気ディスク404の表面に当たって反射光ビーム413として反射される磁気ディスク404上の領域を特定する。
【００２０】
磁場発生サブシステム
磁場発生サブシステムは、磁場ドライバ423、磁気コイル422、磁極421A、421B、および、任意の磁場計測器(図示せず)を含む。一般的に言えば、磁場発生サブシステムは、磁気ディスク404の領域に印加される磁場を発生させるために使用される。特に、磁場ドライバ423は、磁気ディスク404の特定のトラック上のセクタを検査するために印加されるべき磁場の、方向および強度を決定する。したがって、磁場ドライバ423は磁気コイル422に与えられる信号を制御し、それにより、磁極421A、421Bを介して印加され且つその強度が任意の磁場計測器によって測定されて報告される磁場が形成される。
【００２１】
磁極421A、421Bは、磁気ディスク404の表面に近接しており、長さGmの隙間424だけ離間される。磁極421A、421Bは、隙間424が磁気ディスク404の記録特性と適切に合わせられるように磁気ディスク404に対して長手方向にまたは垂直に方向付けられてもよい。磁気媒体に対する磁極421A、421Bの2つの方向付けの例を示す図4Aおよび4Bを参照する。図4Aには、長手記録媒体(光磁気ディスクなど)に適した磁極421A、421Bの方向が示されている。この場合、磁極421A、421Bが媒体の一方側の所与のトラックに対して平行に方向付けられ、それにより、隙間424によって発生される磁場が所定のトラックの幾つかのセクタをカバーする。図4Bには、垂直記録媒体に適した磁極421A、421Bの方向が示されている。この場合、磁極421A、421Bが磁気媒体に対して垂直に方向付けられ、それにより、隙間424によって発生される磁場が媒体の両側に位置される所与のトラックの一部をカバーする。
【００２２】
運動サブシステム
運動サブシステムは運動ステージ432およびスピンドル431を含む。運動ステージ432およびスピンドル431は、(後述する処理サブシステムの)コントローラ433に接続され、コントローラ433は、スピンドル431を回転または停止させ、所望の横方向位置を運動ステージ432に取得させる。スピンドル431は、その回転が磁気ディスク404も回転させるように構成されており、スピンドル431(したがって、磁気ディスク404)の回転角を報告する処理サブシステムに接続される制御機構を含む。運動ステージ432は、その動きが、スピンドル431を横方向に平行移動させるように構成され、それにより、入射光ビーム412が照射されるべきトラックが、変えられる。すなわち、これが「被検査トラック」を選択する。運動ステージ432は、被検査トラックの位置を報告する処理サブシステムに接続される制御機構を含んでもよい。
【００２３】
測定サブシステム
測定サブシステムは、解析器416、光検出器417および増幅器418を含む。
【００２４】
入射点419が位置しているセクタの磁化に応じて、磁気光学カー効果が反射光ビーム413の偏光面を入射光ビーム412の偏光面に対して回転させることは言うまでもない。偏光回転角は、反射光ビーム413がどのようにして解析器416(非限定的な態様では、高い消光比を有する偏光器として実施されてもよい)を通過して進むのかに影響を与える。なお、解析器416の光軸を偏光器415の光軸に対して垂直に完全に位置合わせする必要はないことに留意されたい。実際には、印加磁場がプラスからマイナスへ減少するときに反射光ビーム413の偏光回転角もプラスからマイナスへ減少することに留意されたい。偏光器415および解析器416がそれらの光軸を厳しく垂直に位置合わせされる場合には、回転角がプラスであろうとマイナスであろうと(すなわち、プラスの磁場が印加されようがマイナスの磁場が印加されようが)、信号が強くなる。マイナスの磁化を反射するためには、解析器軸416に対する角度オフセットが役立つ可能性があり、それにより、例えばプラスの印加磁場の1つの方向の変化によって信号が強くなり、印加磁場の他の方向の変化によって信号が弱くなることが保証される。このオフセット角は、最大カー回転角の約4〜10倍である最適な範囲を有するが、この最適範囲から外れるオフセット角(またはオフセット角が無い)を本発明の範囲から逸脱することなく使用することができる。
【００２５】
光検出器417は、解析器416の出力での信号の強度をアナログ電気信号へ変換する。その後、光検出器417の出力は増幅器418へ供給され、該増幅器は、処理サブシステムによるサンプリングの前に信号強度を増大させる。増幅器418の出力は、以下において「カー信号」と称され、ミリ度、すなわち1度の1000分の1の単位で表すことができる。
【００２６】
処理サブシステム
処理サブシステムは、前述したコントローラ433、アナログ-デジタルA/D変換器434およびコンピュータ制御パネル435を備える。
【００２７】
コントローラ433は、処理ユニット1002、データ1004およびプログラム命令1006を含む図9に示されるタイプのコンピュータユニット1000として構成されてもよい。処理ユニット1002は、テストベッド402の機能の少なくとも一部を実施するためにデータ1004およびプログラム命令1006を処理するようになっている。プログラム命令1006は、多くのコンピュータアーキテクチャまたはオペレーティングシステムと共に使用できるように多くのプログラミング言語で書き込まれてもよい。例えば、幾つかの態様では、プログラム命令1006が手続きプログラミング言語(「V-C」または「V-B」など)またはオブジェクト指向プログラミング言語(例えば、「Lab-view」または「JAVA」)で実施されてもよい。図9に示されるコンピュータユニット1000は、デスクトップコンピュータ装置またはラップトップコンピュータ装置を含むがこれらに限定されない任意の適したコンピュータ装置の一部であってもよい。
【００２８】
コンピュータユニット1000は、スピンドル431、運動ステージ432、光ビームシステム411、磁場ドライバ423、偏光器415、解析器416、A/D変換器434などの外部の構成要素に対するデータの送受信のためのI/Oインタフェース1010を含んでもよい。また、I/Oインタフェース1010は、コンピュータ制御パネル435を介してユーザ(図示せず)から制御信号および/または情報を受け取るために、ならびにディスプレイユニット1012を駆動させてそれによりプログラム命令1006によって実施されるユーザインタフェースを実行する信号を解放するために使用することができる。
【００２９】
任意で、コンピュータユニット1000は、有線または無線インタフェース(図示せず)を介して接続されるコンピュータネットワークなどの更なる装置と情報をやりとりするための更なるインタフェース(図示せず)を含んでもよい。
【００３０】
A/D変換器434は、同期信号取得のための幾つかのチャンネルを有してもよい。例えば、第1のチャンネルは、増幅器418から受け取られる瞬間カー信号(instantaneous Kerr signal)のサンプルを生成することができ、第2のチャンネルは、磁場計測器によって報告される瞬間磁場強度のサンプルを生成することができ、第3のチャンネルは、スピンドル431によって報告される瞬間回転角のサンプルを生成することができる。第1のチャンネルから出力されるデジタルサンプル(測定値)は、{K(i)}で表される「カー信号測定値の時系列」を形成する。第2のチャンネルから出力されるデジタルサンプル(測定値)は、{M(i)}で表される「磁場強度測定値の時系列」を形成する。最後に、第3のチャンネルから出力されるデジタルサンプル(測定値)は、{A(i)}で表される「回転角測定値の時系列」を形成する。{K(i)}、{M(i)}および{A(i)}はコントローラ433によってメモリ内に記憶される。コントローラ433は、{K(i)}、{M(i)}および{A(i)}を処理して、以下で更に詳しく示されるように磁気ディスク404の様々なセクタの保磁力および残留磁気を決定する。
【００３１】
コンピュータ制御パネル435は、ユーザがテストベッド402の全体の動作を見て制御できるようにするユーザインタフェースとしての役目を果たす。特に、コンピュータ制御パネル435は、コントローラ433に接続されるとともに、磁気ディスク404の検査中にコントローラ433によって使用される特定のパラメータをユーザ(図示せず)が設定して調整できるようにする。例えば、ユーザは、コンピュータ制御パネル435を使用して、A/D変換器434のサンプリングレート、スピンドル431の回転速度、磁場ドライバ423によって印加されるべき磁場の重要な値および変化率(すなわち、磁場プロファイル)、被検査トラックの位置、被検査トラックを形成するセクタの数(ならびに、それらのセクタの位置および円弧長さ)などを設定することができる。前述したパラメータは、所与のタイプの磁気媒体のためのプロファイルの形態でコントローラ433内に保存できると考えられる。ユーザは、このプロファイルを呼び出すことにより、パラメータを再び設定する必要なく、テストベッド402を使用して、同様の媒体を検査することができる。コンピュータ制御パネル435が、有線もしくは無線接続を介してコンピュータ433に接続される別個の物理要素として実施されてもよく、またはコントローラ433内のプログラム命令1006によってグラフィカルユーザインタフェースとして実施されてもよいことは言うまでもない。
【００３２】
テストベッド402の動作
ここでは、引き続いて図3を参照して、磁気ディスク404を検査するためのテストベッド402の動作について説明する。ユーザ(人またはロボット)は磁気ディスク404をスピンドル431に取り付ける。その後、ユーザは、コンピュータ制御パネル435と情報をやりとりしてテストベッド402を起動させるとともに、検査のために必要とされる任意のパラメータ(磁気ディスク404のための回転速度、A/D変換器434のサンプリングレート、磁場プロファイル、被検査トラックの位置、被検査トラックを形成するセクタの数など)をメモリに入力しまたはメモリから呼び出して、磁気ディスク404の検査を開始する。ユーザによって検査が開始されると、コントローラ433は、テストベッド402の構成要素を稼働させる。
【００３３】
具体的には、コントローラ433は、運動ステージ432を稼働させて、被検査トラックに適した位置へとスピンドル431および磁気ディスク404を移動させる。また、コントローラは、スピンドル431を稼働させてディスク404を回転させる。検査中にわたって、通常は、磁気ディスク404の回転速度が一定に保たれるが、当業者であれば分かるように、幾つかの態様では、速度と時間との関係がコントローラ433に知られ且つプログラム命令1006によってデータ取得同期化が行われる限りにおいて、回転速度を変えることができる。
【００３４】
加えて、コントローラ433は、磁場発生サブシステムを稼働させて、被検査トラックの一部に対して磁場を印加する。具体的には、磁場ドライバ423は、磁場を発生させるために必要とされる磁場の強度および方向に基づいて磁気コイル422に給電する。磁極421A、421Bを介して(長さGmの隙間424にわたって)印加される磁場が被検査トラックの一部を磁化する。検査中、印加磁場は、ユーザによって選択されまたはメモリに記憶される磁場プロファイルにしたがって掃引される。
【００３５】
加えて、コントローラ433により、光発生サブシステムは、被検査トラックの現在磁化されている部分に対して光の偏光ビームを照射する。具体的には、光ビームシステム411は、磁気ディスク404の表面の入射点419に到達する前に偏光器415を通過するように光学ミラー414により方向付けられる入射光ビーム412を発生させる。勿論、被検査トラック内の入射点419の正確な位置は、磁気ディスク404が回転するにつれて経時的に変化する。したがって、被検査トラックが実際にまたは概念的に複数のセクタに分割される場合には、磁気ディスク404が回転するにつれて入射点419が様々なセクタを何度となく横切るのが分かる。
【００３６】
光検出器417(解析器416によって認識される反射光ビーム413の一部を捕捉する)の増幅された出力はA/D変換器434によってサンプリングされ、それにより、カー信号測定値の時系列{K(i)}がもたらされる。カー信号が、入射点419での磁気ディスク404の磁化に比例することを想起されたい。
【００３７】
一方、磁場検出器の出力(印加磁場の瞬間強度を示す)はA/D変換器434によってサンプリングされ、それにより、磁場強度測定値の時系列{M(i)}がもたらされる。印加磁場が、ユーザが定義できるプロファイルまたはメモリに記憶できるプロファイルに従うことを想起されたい。
【００３８】
加えて、スピンドル431から受け取られる信号(スピンドル431の瞬間回転角を示す)はA/D変換器434によってサンプリングされ、それにより、回転角測定値の時系列{A(i)}がもたらされる。回転角は、磁気ディスク404が回転するにつれて0〜360度にわたって周期的に繰り返し変化し、実際のまたは概念的なセクタが所与のサンプリング瞬間に入射点419を含むことについての認識を可能にする。
【００３９】
サンプリングレートを制御することができ、且つサンプリングレートをトリガ信号と同期させることができることは言うまでもない。具体的には、トリガ信号をスピンドル431から受け取ることができ、トリガ信号は、磁気ディスク404のそれぞれの新たな回転を示す。あるいは、セクタのタイミングを図るためにクロック信号を導入することができる。クロック信号は、A/D変換器434の他のチャンネルによって、同期してサンプリングされる。64個のセクタがある場合には、スピンドル431の1回転当たり256周期のクロック信号を設定できる。このことは、64番目のセクタに至るまで、クロック信号の最初の4つの周期の時間に取得されたデータが第1のセクタに属し、次の4つの周期で取得されたデータが第2のセクタに属する、などといったことを意味する。この代替の手法を使用してクロックレートを回転速度に結びつけることにより、信頼できる結果を得ることができる場合がある。これは、セクタ間の境界で取得される測定値の存在の可能性が低いからである。
【００４０】
言うまでも無く、サンプリングレート、スピンドル431の回転速度、および、印加磁場のプロファイルを制御することにより、コントローラ433は、被検査トラックの実際のまたは概念的なセクタ毎に少なくとも設定された最小数のカー信号測定値K(i)が収集されるようにすることができるとともに、収集されたカー信号測定値K(i)がそれらのサンプリング瞬間における磁場強度測定値M(i)の範囲にわたってうまく分布させるようにすることができる。
【００４１】
より具体的には、図5を参照すると、被検査トラックが64個のセクタに分割されるものとする。これは、セクタの実際の分布に対応していてもよく、または全くの概念的な分割であってもよい。カー信号測定値の時系列{K(i)}は、インターリーブ処理された測定値群の「組」610を含む。この場合、N番目の組(N＝1,2,...,64)は、反射光ビーム413から得られるカー信号測定値K(i)から導き出され、一方、入射点419は被検査トラックのセクタのうちのN番目のセクタを横切っていた。例えば、カー信号測定値の時系列{K(i)}から特定され得る組610は、セクタ＃1における組(K1で示される)、セクタ＃2における他の組(K2で示される)およびセクタ＃64における他の組(K64で示される)を含む。
【００４２】
同様に、磁場強度測定値の時系列{M(i)}はインターリーブ処理された組660を含む。この場合、N番目の組は、(例えば、任意の磁場計測器から)得られる磁場強度測定値M(i)から導き出され、一方、入射点419は被検査トラックのセクタのうちのN番目のセクタを横切っていた。例えば、磁場強度測定値の時系列{M(i)}から特定され得る組660は、セクタ＃1における組(M1で示される)、セクタ＃2における他の組(M2で示される)およびセクタ＃64における他の組(M64で示される)を含む。
【００４３】
時系列{K(i)}(または{M(i)})内のどの測定値が組610(または660)のうちのどれと関連付けられるのかを特定するために、コントローラ433は、被検査トラックのセクタの数、磁気ディスク404の回転速度、およびA/D変換器434のサンプリングレートを考慮する。(実際のあるいは概念的な)セクタが円形トラックにわたって連続していないおよび/または等しい円弧長さを有していない場合には、これらの変化を考慮に入れるために調整を行う必要がある。
【００４４】
ここで、10秒持続する1回のループで＋10 kOe(10000エルステッド)から-10 kOeへ至って元の＋10 kOeへと掃引する(すなわち、毎秒4 kOeの掃引速度)印加磁場を伴って、磁気ディスク404が毎秒40回転数で回転するものとする。このことは、入射点419が各セクタで0.390625ミリ秒を費やして、そのセクタへと25ミリ秒毎に周期的に戻ることを意味する。入射点419が次のセクタへ移動する前に1つのセクタ内で取得されるべき測定値の所望の数が100個である場合には、サンプリングレートを毎秒256,000個の測定値にする必要がある。回転総数は400であることも留意されたい。
【００４５】
カー信号測定値の時系列{K(i)}における個々の測定値がK(i)(i＝0,1,...)で示されることを思い起こすと、入射点419によるj番目のセクタ(j＝1,...,64)のp番目の横断(p＝1,2,...,400)における平均カー信号測定値は、以下によって与えられるKp,jで示される。
2010537355.tif 000003
【００４６】
磁気ディスク404の400回転(p＝1,2,...,400)の全てに関して平均カー信号測定値Kp,jを群にまとめることにより、Kjで示されるj番目のセクタにおけるカー信号組を形成することができる。言い換えると、Kj＝{Kp,j｜1<p<400}である。これは、カー信号組K1、すなわち、セクタ＃1におけるカー信号組に関して図6に概念的に示されている。
【００４７】
磁場強度測定値の時系列{M(i)}における個々の測定値がM(i)(i＝0,1,...)で示されることを思い起こすと、入射点419によるj番目のセクタ(j＝1,...,64)のp番目の横断(p＝1,2,...,400)における平均磁場強度測定値は、以下によって与えられるMp,jで示される。
2010537355.tif 000004
【００４８】
磁気ディスク404の400回転(p＝1,2,...,400)の全てに関して平均磁場強度測定値Mp,jを群にまとめることにより、Mjで示されるj番目のセクタにおける磁場強度組を形成することができる。言い換えると、Mj＝{Mp,j｜1<p<400}である。これは、磁場強度組M1、すなわち、セクタ＃1における磁場強度組に関して図6に概念的に示されている。
【００４９】
磁気ディスク404を回転させつつ印加磁場を徐々に掃引すると、各セクタ内において、ステップ毎に100 Oeの平均デクリメント(または、インクリメント)で、且つ図4Aに示されるケースに関してGm/πDtまたは図4Bに示されるケースに関してDm/πDt(ここで、DmおよびDtは、磁極421A、421Bおよび被検査トラックのそれぞれの直径)のデューティサイクルで、印加磁場が1ステップずつ実行される(stepping)という効果が生み出されることに留意されたい。セクタ＃1におけるカー信号組K1および磁場強度組M1の簡略的であるが現実的な表示を与えるために、磁気ディスク404の400回転数全体の一部分だけが図6に示されている。
【００５０】
次に、特定のセクタにおけるカー信号組(すなわち、Kj)を特定のセクタにおける磁場強度組(すなわち、Mj)に対してプロットすることにより、特定のセクタ(例えば、セクタ＃J)における磁気特性(残留磁気および/または保磁力など)が決定される。図7を参照すると、被検査トラック上の特定のセクタにおけるミリ度を単位とするカー信号測定値(Y軸804)が、Oeを単位とする印加磁場測定値(X軸802)に対してプロットされた。結果として得られるプロットはヒステリシスループの形状をなしている。これは、磁場強度が同じ値を有する2つの異なるサンプルでカー信号測定値が異なる場合があるからである。具体的には、カー信号測定値は、測定値が取得された時間に印加磁場が増大していたかまたは減少していたかどうかによって決まる。
【００５１】
特定のセクタにおけるヒステリシスループがプロットされた時点で、その保磁力および残留磁気が決定されてもよい。1つのセクタにおける保磁力(Hcで示される)は、カー信号がゼロのときの印加磁場の値(または、磁化値)として決定することができ、一方、残留磁気(MRで示される)は、印加磁場がゼロのときのカー信号(または、磁化値)として決定される。図7に示されるヒステリシスループの例に関しては、この特定のセクタにおける保磁力(ここでは、Hcとして特定される)を約4300 Oeとなるように決定することができ、一方、このセクタに関する残留磁気(ここでは、MRとして特定される)を約73ミリ度となるように決定することができる。
【００５２】
それぞれの所望のセクタにおける対応するカー信号組および磁場強度組に基づいて上記技術を被検査トラック上の任意の数のセクタに関して実行できるのが有益である。全ての組は、カー信号測定値の同じ時系列{K(i)}および磁場強度測定値の同じ時系列{M(i)}から形成される。このようにして、磁気媒体が回転する間に掃引磁場の1回の印加を使用することにより、被検査トラックの複数のセクタの磁気特性を決定することができる。これは、個別に且つ順次に測定されるべき各セクタ内のそれぞれの点に対して掃引磁場を別個に印加しなければならない場合よりもプロセスを効率的にする。
【００５３】
異なるセクタにおけるヒステリシスループは異なっており、そのため、それに対応して、これらのセクタの保磁力および残留磁気が異なり、したがって、値が分布を形成する。特に、被検査トラックのセクタの残留磁気および保磁力を表す値のセットは、これらに限定されるわけではないが表、チャートおよび/またはグラフなど、図形フォーマットで描くことができる。
【００５４】
図8Aおよび図8Bは、64個のセクタからなるセットの残留磁気および保磁力を示すために使用され得る、2つのサンプル図形フォーマットを示す。図8Aには、所与のトラックの64個のセクタのそれぞれにおける保磁力の想定し得る分布が、円柱グラフでプロットされている。具体的には、Oeを単位とするセクタの保磁力(Y軸904)が、セクタの順序数(X軸902)に対してプロットされる。非限定的な例において、このタイプのグラフは、磁気媒体の所与のトラック上のセクタにおいて見出される保磁力をベースラインに対して比較して、ベースラインに対する差異が存在するかどうかを確かめるために使用できる。肯定的な場合には、観察された異常な保磁力値とベースラインとの間の差異の理由を特定するために更なる調査を行うことができる。
【００５５】
図8Bは、円形ディスク上のセクタ908A、908B、908Cからなるトラック906を概略的に表す図形フォーマットでの、複数のセクタにおける保磁力の同じ分布を示す。このフォーマットでは、保磁力における値の範囲が特定の色と関連付けられる。例えば、3000 Oe〜3200 Oeの保磁力(セクタ908Aの場合など)が薄青色で表示されるように設定されてもよく、一方、3201 Oe〜3500 Oeの保磁力(セクタ908Bの場合など)が緑色で表示されるように設定されてもよい。このようにすると、トラック906の複数のセクタにおける保磁力を同時に見ることができ、特定の色、色相または陰影の出現に基づいて異常を特定することができる。この技術は、所定の最大値または最小値から外れるセクタの迅速な特定を行うことができ有益である。例えば、セクタ908Cの場合など、その保磁力が2000 Oe未満あるいは6000 Oeを超えるトラック上のセクタをフラグ付けするために赤色を使用することができる。機器が、対象のセクタに対する読み取り動作および書き込み動作を適切に行うために必要な動作パラメータからその保磁力が外れる場合があるセクタを特定するために、特定の色または陰影が使用されてもよい。
【００５６】
図8Bは、ディスクなどの磁気媒体上の単一のトラックにおける保磁力の分布を示すが、媒体上の複数のトラックにおける保磁力の分布を示すために同じフォーマットを使用することもできる。
【００５７】
残留磁気をミリ度の単位からアンペア/mの単位へと変換できることは言うまでもない。より具体的には、関係がM＝f・Φである。ここで、fは磁気媒体に依存するファクタであり、Φは、磁気媒体および光学的形態に依存するカー信号(ミリ度)である。fの正確な値のいずれが使用されるべきかを決定するために較正が必要とされてもよいことに留意されたい。しかしながら、必ずしも真の値を計算することを必要とせずにトラックの異なるセクタ間で残留磁気を比較するために、相対値を使用することができ、それにより、較正の必要性が回避される。
【００５８】
前述したように、光ビームシステム411は、磁気ディスク404に対して測定が現在行われているかどうかにかかわらず、検査中に入射光ビーム412を連続的に発生させる。前述した方法および装置の変形例においては、光ビームシステム411は、測定がコントローラ433によって行われる必要があるときだけ入射光ビーム412を発生させる。この変形例で発生される光ビームの間欠性は、電力消費量を減少させることができるとともに、光ビームシステム411の構成要素の寿命を延ばすことができる。
【００５９】
前述したように、検査中にコントローラ433によって受け取られる測定値の時系列{K(i)}、{M(i)}、{A(i)}は、測定値の組を生成するために後処理を受ける。この後処理の適切な実行は、磁気媒体のトラック毎のセクタの数、磁気媒体の回転速度、および印加磁場のプロファイルなどの変数の知識に依存する。これらの変数の多くまたは全ては、例えば特定のタイプのハードドライブで使用されるディスクだけを検査するように予め構成されるテストベッドに関しては、予め周知であると考えられる。そのような場合には、磁気媒体が回転する間にリアルタイムで取得される測定値から様々な組610を作り上げることができる。
【００６０】
更に、磁場強度測定値M(i)を測定するのではなく予測することができるのは言うまでもない。すなわち、隙間424を介して磁気コイル422により印加される磁場を制御する磁場ドライバ423は、様々なサンプル時間に隙間424を横切って存在すると予期される印加磁場を推定することができるとともに、この情報を、A/D変換器434に別個のチャンネルを必要とすることなくコントローラ433へ直接に(各サンプル「i」毎にデジタル形式で)供給することができる。
【００６１】
同様に、回転角測定値A(i)を測定するのではなく予測することができるのは言うまでもない。すなわち、スピンドル431によって磁気ディスク404の回転を制御するコントローラ433は、様々なサンプル時間にスピンドル431によって加えられると予期される回転角を推定することができるとともに、この情報を、A/D変換器434に別個のチャンネルを必要とすることなくコントローラ433へ直接に(各サンプル「i」毎にデジタル形式で)供給することができる。
【００６２】
そのようなシナリオにおいて、磁場強度および回転角の両方を測定するのではなく予測する場合には、テストベッド420によって取得される唯一の測定値がカー信号測定値K(i)である。
【００６３】
本発明の特定の態様を説明して図示してきたが、当業者であれば分かるように、添付の特許請求の範囲に規定される本発明の範囲から逸脱することなく、多くの改良および変形を施すことができる。
【図１】
2010537355.tif 000006
【図２Ａ】
2010537355.tif 000007
【図２Ｂ】
2010537355.tif 000008
【図２Ｃ】
2010537355.tif 000009
【図３】
2010537355.tif 000010
【図４】
2010537355.tif 000011
【図５】
2010537355.tif 000012
【図６】
2010537355.tif 000013
【図７】
2010537355.tif 000014
【図８】
2010537355.tif 000015
【図９】
2010537355.tif 000016
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
強度が時間的に変動する磁場を、磁気媒体の一部に対して印加するように構成されている磁場発生サブシステム；
偏光された光ビームを、磁場内にある磁気媒体の部分へ向けて方向付けるように構成されている光発生サブシステムであって、前記光ビームが前記磁場内の入射点で前記磁気媒体の表面によって反射される、光発生サブシステム；
入射点が磁気媒体の表面上のトラックに沿って複数のセクタのそれぞれを繰り返し横切るようにするべく磁気媒体を光ビームに対して移動させるように構成されている運動サブシステムであって、前記磁場発生サブシステムおよび前記運動サブシステムが、トラックに沿った入射点の動きと同調して磁場の強度を変動させるように、協働する、運動サブシステム；
入射点がセクタを繰り返し横切る際に、反射された光ビームの一連のカー信号測定値を得るように構成されている測定サブシステムであって、各カー信号測定値が、(1)前記セクタのうち、カー信号測定値が得られた時に入射点が存在していた対応するセクタ、および(2)カー信号測定値が得られた時点の磁場の対応する強度と関連付けられる、測定サブシステム；ならびに
個々の組におけるカー信号測定値がすべて前記セクタのうちの同じセクタと関連付けられるようにするべく、一連のカー信号測定値を組へと群分けするように構成された制御サブシステムであって、対応する組におけるカー信号測定値から、少なくとも1つのセクタの少なくとも1つの磁気特性を決定するように更に構成されている制御サブシステム
を備える、磁気媒体を検査するための装置。
【請求項２】
磁気媒体が中心を有する円形であり、かつ運動サブシステムが、前記中心を通る軸を中心に前記磁気媒体を回転させるためのスピンドルを備える、請求項1記載の装置。
【請求項３】
運動サブシステムが、入射点を含む円形トラックが特定の被検査トラックに対応するようにスピンドルを平行移動させるための運動ステージを更に備える、請求項2記載の装置。
【請求項４】
光発生サブシステムが光源および偏光器を備える、請求項1記載の装置。
【請求項５】
光発生サブシステムが、光源の出力を偏光器を通して方向付けるための少なくとも1つのミラーを更に備える、請求項4記載の装置。
【請求項６】
測定サブシステムが、反射された光ビームを認識するための偏光解析器、および該偏光解析器に結合された光検出器を備える、請求項4記載の装置。
【請求項７】
偏光解析器が、偏光器の光軸からオフセットされた光軸を有する、請求項6記載の装置。
【請求項８】
光検出器が、該光検出器の出力を増幅するための増幅器を更に備える、請求項6記載の装置。
【請求項９】
制御サブシステムが、光検出器の出力を測定値を表すデジタルサンプルへと変換するためのアナログ-デジタル変換器、および前記デジタルサンプルを記憶するためのメモリを備える、請求項6記載の装置。
【請求項１０】
制御サブシステムが、磁気媒体の回転の速度、カー信号測定値を得る速度、および印加磁場の強度の変化を規定するプロファイルに基づいて一連の測定値の組への群分けを行うコントローラを備える、請求項2記載の装置。
【請求項１１】
制御サブシステムが、印加磁場の強度の変化を規定するプロファイルをユーザが設定できるようにするコンピュータ制御パネルを備える、請求項10記載の装置。
【請求項１２】
制御サブシステムが、少なくとも1つのセクタの少なくとも1つの磁気特性を示す図形(graphical)情報を表示するようにディスプレイユニットを駆動させるための命令を実行するコンピュータユニットを備える、請求項1記載の装置。
【請求項１３】
コンピュータユニットが、セクタのうちの複数のセクタの少なくとも1つの磁気特性を示す図形情報を同時に表示するようにディスプレイユニットを駆動させるための命令を更に実行する、請求項12記載の装置。
【請求項１４】
少なくとも1つの磁気特性が残留磁気を含む、請求項1記載の装置。
【請求項１５】
少なくとも1つの磁気特性が磁気保磁力を含む、請求項1記載の装置。
【請求項１６】
強度が時間的に変動する磁場を、磁気媒体の一部に対して印加する段階；
偏光された光ビームを、磁場内にある磁気媒体の部分へ向けて方向付ける段階であって、前記光ビームが前記磁場内の入射点で前記磁気媒体の表面によって反射される、段階；
入射点が磁気媒体の表面上のトラックに沿って複数のセクタのそれぞれを繰り返し横切るようにするべく磁気媒体を光ビームに対して移動させる段階であって、磁場の強度がトラックに沿った入射点の動きと同調して変動する、段階；
入射点がセクタを繰り返し横切る際に、反射された光ビームの一連のカー信号測定値を得る段階であって、各カー信号測定値が、(1)前記セクタのうち、カー信号測定値が得られた時に入射点が存在していた対応するセクタ、および(2)カー信号測定値が得られた時点の磁場の対応する強度と関連付けられる、段階；ならびに
個々の組におけるカー信号測定値がすべて前記セクタのうちの同じセクタと関連付けられるようにするべく、一連のカー信号測定値を組へと群分けする段階；ならびに
対応する組におけるカー信号測定値から、少なくとも1つのセクタの少なくとも1つの磁気特性を決定する段階
を含む、磁気媒体を検査する方法。
【請求項１７】
印加磁場の一連の磁場強度測定値を得る段階であって、前記磁場強度測定値がカー信号測定値と同期して得られる、段階；
個々の組における磁場強度測定値が、前記セクタのうちの対応するセクタ内に入射点が存在していた間に得られた磁場強度測定値となるようにするべく、一連の磁場強度測定値を組へと群分けする段階；ならびに
カー信号測定値の対応する組におけるカー信号測定値から、および磁場強度測定値の対応する組における磁場強度測定値から、少なくとも1つのセクタの少なくとも1つの磁気特性を決定する段階
を含む、請求項16記載の方法。
【請求項１８】
少なくとも1つのセクタの少なくとも1つの磁気特性を決定する段階が、
カー信号測定値の対応する組におけるカー信号測定値を、磁場強度測定値の対応する組における磁場強度測定値に対してプロットすることにより、ヒステリシスループを得ること；および
ヒステリシスループから、少なくとも1つの磁気特性を得ること
を含む、請求項17記載の方法。
【請求項１９】
少なくとも1つの磁気特性が残留磁気を含む、請求項18記載の方法。
【請求項２０】
少なくとも1つの磁気特性が磁気保磁力を含む、請求項18記載の方法。
【請求項２１】
移動させる段階が回転させることを含み、セクタのそれぞれが、磁気媒体が1回転を行うのにかかる時間に対応する周期のパルス磁場にさらされる、請求項16記載の方法。
【請求項２２】
カー信号測定値が、磁場が無いときの基準方向に対する偏光回転角を示す、請求項16記載の方法。
【請求項２３】
反射光ビームからカー信号測定値を得るために、反射光ビームが偏光解析器および光検出器によって処理される、請求項16記載の方法。
【請求項２４】
カー信号測定値を得るために光検出器の出力をサンプリングする段階を更に含む、請求項23記載の方法。
【請求項２５】
カー信号測定値を得るために光検出器の増幅された出力をサンプリングする段階を更に含む、請求項23記載の方法。
【請求項２６】
サンプリングする段階が、所定のサンプリングレートで行われ、群分けする段階が、前記サンプリングレートの関数として行われる、請求項25記載の方法。
【請求項２７】
移動させる段階が回転させることを含み、群分けする段階が、磁気媒体が回転する速度の関数としても行われる、請求項26記載の方法。
【請求項２８】
群分けする段階が、セクタのそれぞれの円弧長さの関数としても行われる、請求項27記載の方法。
【請求項２９】
磁気媒体の新たな回転を示すためにトリガ信号を提供する段階を更に含む方法であって、群分けする段階が、前記トリガ信号が受け取られる時期の関数としても行われる、請求項28記載の方法。
【請求項３０】
磁気媒体の回転と同期してクロック信号を提供する段階を更に含む方法であって、サンプリングする段階が前記クロック信号と同期される、請求項27記載の方法。
【請求項３１】
磁場を印加する段階が、所定のプロファイルにしたがって、所定の値の範囲にわたって磁場の強度を掃引することを含む、請求項30記載の方法。
【請求項３２】
プロファイルがユーザによって設定される、請求項31記載の方法。
【請求項３３】
カー信号測定値が、入射点における磁気光学カー効果の兆候を示す、請求項16記載の方法。
【請求項３４】
特定のセクタに対応するカー信号測定値の組における各測定値が、入射点による前記特定のセクタの1回の横断中に取得されるカー信号の複数のサンプルの平均である、請求項16記載の方法。
【請求項３５】
入射点を含む円形トラックが特定の被検査トラックに対応するように、磁気ディスクを平行移動させる段階を事前段階として更に含む、請求項33記載の方法。
【請求項３６】
被検査トラックのユーザから知識を受け取る段階を更に含む、請求項35記載の方法。
【請求項３７】
少なくとも2つのセクタの少なくとも1つの磁気特性を同時に図形により伝える段階を更に含む、請求項36記載の方法。
【請求項３８】
方向付ける段階が、連続的なカー信号測定値の取得ごとに光ビームがオフにされて再びオンにされるように間欠的である、請求項16記載の方法。
【請求項３９】
強度が時間的に変動する磁場を、磁気媒体の一部に対して印加するための手段；
偏光された光ビームを、磁場内にある磁気媒体の部分へ向けて方向付けるための手段であって、前記光ビームが前記磁場内の入射点で前記磁気媒体の表面によって反射される、手段；
入射点が磁気媒体の表面上のトラックに沿って複数のセクタのそれぞれを繰り返し横切るようにするべく磁気媒体を光ビームに対して移動させるための手段であって、前記磁場を印加するための手段および前記磁気媒体を移動させるための手段が、トラックに沿った入射点の動きと同調して磁場の強度を変動させるように、協働する、手段；
入射点がセクタを繰り返し横切る際に、反射された光ビームの一連のカー信号測定値を得るための手段であって、各カー信号測定値が、(1)前記セクタのうち、カー信号測定値が得られた時に入射点が存在していた対応するセクタ、および(2)カー信号測定値が得られた時点の磁場の対応する強度と関連付けられる、手段；
個々の組におけるカー信号測定値がすべて前記セクタのうちの同じセクタと関連付けられるようにするべく、一連のカー信号測定値を組へと群分けするための手段；ならびに
対応する組におけるカー信号測定値から、少なくとも1つのセクタの少なくとも1つの磁気特性を決定するための手段
を備える、磁気媒体を検査するための装置。
【請求項４０】
命令を含むコンピュータ可読媒体であって、
前記命令がコンピュータ装置によって実行されると、該命令が、
測定値の時系列を受け取る段階であって、各測定値が、印加磁場の関連付けられた強度における磁気媒体の複数のセクタの中からの個々のセクタ内での磁気光学カー効果の兆候を表し、異なるセクタと関連付けられる測定値が、時間インターリーブ処理(time-interleave)される、段階；
測定値の時系列を組へと群分けする段階であって、該組のうちの各組における測定値が前記セクタのうちの個々のセクタと関連付けられる、段階；
前記組のうちの対応する組における測定値から、前記セクタのうちの複数のセクタの少なくとも1つの磁気特性を決定する段階；および
前記セクタのうちの複数のセクタの少なくとも1つの磁気特性の表示を出力する段階
を含む方法を、コンピュータ装置に実施させる、
コンピュータ可読媒体。
【請求項４１】
出力する段階が、セクタのうちの複数のセクタの少なくとも1つの磁気特性を同時に図形により伝えることを含む、請求項40記載のコンピュータ可読媒体。
【手続補正２】
【補正対象書類名】明細書
【補正対象項目名】０００８
【補正方法】変更
【補正の内容】
【０００８】
したがって、本発明の第1の局面は、以下を備える、磁気媒体を検査するための装置を提供しようとするものである：
強度が時間的に変動する磁場を、磁気媒体の一部に対して印加するように構成されている磁場発生サブシステム；
偏光された光ビームを、磁場内にある磁気媒体の部分へ向けて方向付けるように構成されている光発生サブシステムであって、前記光ビームが前記磁場内の入射点で前記磁気媒体の表面によって反射される、光発生サブシステム；
入射点が磁気媒体の表面上のトラックに沿って複数のセクタのそれぞれを繰り返し横切るようにするべく磁気媒体を光ビームに対して移動させるように構成されている運動サブシステムであって、前記磁場発生サブシステムおよび前記運動サブシステムが、トラックに沿った入射点の動きと同調して磁場の強度を変動させるように、協働する、運動サブシステム；
入射点がセクタを繰り返し横切る際に、反射された光ビームの一連のカー信号測定値を得るように構成されている測定サブシステムであって、各カー信号測定値が、(1)前記セクタのうち、カー信号測定値が得られた時に入射点が存在していた対応するセクタ、および(2)カー信号測定値が得られた時点の磁場の対応する強度と関連付けられる、測定サブシステム；ならびに
個々の組におけるカー信号測定値がすべて前記セクタのうちの同じセクタと関連付けられるようにするべく、一連のカー信号測定値を組へと群分けするように構成されている制御サブシステムであって、対応する組におけるカー信号測定値から、少なくとも1つのセクタの少なくとも1つの磁気特性を決定するように更に構成されている制御サブシステム。
【手続補正３】
【補正対象書類名】明細書
【補正対象項目名】０００９
【補正方法】変更
【補正の内容】
【０００９】
本発明の第2の局面は、以下の段階を含む、磁気媒体を検査する方法を提供しようとするものである：
強度が時間的に変動する磁場を、磁気媒体の一部に対して印加する段階；
偏光された光ビームを、磁場内にある磁気媒体の部分へ向けて方向付ける段階であって、前記光ビームが前記磁場内の入射点で前記磁気媒体の表面によって反射される、段階；
入射点が磁気媒体の表面上のトラックに沿って複数のセクタのそれぞれを繰り返し横切るようにするべく磁気媒体を光ビームに対して移動させる段階であって、磁場の強度がトラックに沿った入射点の動きと同調して変動する、段階；
入射点がセクタを繰り返し横切る際に、反射された光ビームの一連のカー信号測定値を得る段階であって、各カー信号測定値が、(1)前記セクタのうち、カー信号測定値が得られた時に入射点が存在していた対応するセクタ、および (2)カー信号測定値が得られた時点の磁場の対応する強度と関連付けられる、段階；
個々の組におけるカー信号測定値がすべて前記セクタのうちの同じセクタと関連付けられるようにするべく、一連のカー信号測定値を組へと群分けする段階；ならびに
対応する組におけるカー信号測定値から、少なくとも1つのセクタの少なくとも1つの磁気特性を決定する段階。
【手続補正４】
【補正対象書類名】明細書
【補正対象項目名】００１０
【補正方法】変更
【補正の内容】
【００１０】
本発明の第3の局面は、以下の手段を含む、磁気媒体を検査するための装置を提供しようとするものである：
強度が時間的に変動する磁場を、磁気媒体の一部に対して印加するための手段；
偏光された光ビームを、磁場内にある磁気媒体の部分へ向けて方向付けるための手段であって、前記光ビームが前記磁場内の入射点で前記磁気媒体の表面によって反射される、手段；
入射点が磁気媒体の表面上のトラックに沿って複数のセクタのそれぞれを繰り返し横切るようにするべく磁気媒体を光ビームに対して移動させるための手段であって、前記の磁場を印加するための手段および前記の磁気媒体を移動させるための手段が、トラックに沿った入射点の動きと同調して磁場の強度を変動させるように、協働する、手段；
入射点がセクタを繰り返し横切る際に、反射された光ビームの一連のカー信号測定値を得るための手段であって、各カー信号測定値が、(1)前記セクタのうち、カー信号測定値が得られた時に入射点が存在していた対応するセクタ、および(2)カー信号測定値が得られた時点の磁場の対応する強度と関連付けられる、手段；
個々の組におけるカー信号測定値がすべて前記セクタのうちの同じセクタと関連付けられるようにするべく、一連のカー信号測定値を組へと群分けするための手段；ならびに
対応する組におけるカー信号測定値から、少なくとも1つのセクタの少なくとも1つの磁気特性を決定するための手段。
【手続補正５】
【補正対象書類名】明細書
【補正対象項目名】００１１
【補正方法】変更
【補正の内容】
【００１１】
本発明の第4の局面は、命令を含むコンピュータ可読媒体を提供しようとするものであり、前記命令がコンピュータ装置によって実行されると、該命令が、以下の段階を含む方法をコンピュータ装置に実施させる：
測定値の時系列を受け取る段階であって、各測定値が、印加磁場の関連付けられた強度における磁気媒体の複数のセクタの中からの個々のセクタ内での磁気光学カー効果の兆候を表し、異なるセクタと関連付けられる測定値が、時間インターリーブ処理(time-interleave)される、段階；
測定値の時系列を組へと群分けする段階であって、該組のうちの各組における測定値が前記セクタのうちの個々のセクタと関連付けられる、段階；
前記組のうちの対応する組における測定値から、前記セクタのうちの複数のセクタの少なくとも1つの磁気特性を決定する段階；および
前記セクタのうちの複数のセクタの少なくとも1つの磁気特性の表示を出力する段階。
[請求項101］
強度が時間的に変動する磁場を、磁気媒体の一部に対して印加するように構成されている磁場発生サブシステム;
偏光された光ビームを、磁場内にある磁気媒体の部分へ向けて方向付けるように構成されている光発生サブシステムであって、前記光ビームが前記磁場内の入射点で前記磁気媒体の表面によって反射される、光発生サブシステム;
入射点が磁気媒体の表面上のトラックに沿って複数のセクタのそれぞれを繰り返し横切るようにするべく磁気媒体を光ビームに対して移動させるように構成されている運動サブシステム;
反射された光ビームの一連のカー信号測定値を得るように構成されている測定サブシステム;および
個々の組におけるカー信号測定値が、前記セクタのうちの対応するセクタ内に入射点が存在していた間に得られたカー信号測定値となるようにするべく、一連のカー信号測定値を組へと群分けするように構成された制御サブシステムであって、対応する組におけるカー信号測定値から、少なくとも1つのセクタの少なくとも1つの磁気特性を決定するように更に構成されている制御サブシステム
を備える、磁気媒体を検査するための装置。
[請求項102］
磁気媒体が中心を有する円形であり、かつ運動サブシステムが、前記中心を通る軸を中心に前記磁気媒体を回転させるためのスピンドルを備える、請求項101記載の装置。
[請求項103］
運動サブシステムが、入射点を含む円形トラックが特定の被検査トラックに対応するようにスピンドルを平行移動させるための運動ステージを更に備える、請求項102記載の装置。
[請求項104］
光発生サブシステムが光源および偏光器を備える、請求項101記載の装置。
[請求項105］
光発生サブシステムが、光源の出力を偏光器を通して方向付けるための少なくとも1つのミラーを更に備える、請求項104記載の装置。
[請求項106］
測定サブシステムが、反射された光ビームを認識するための偏光解析器、および該偏光解析器に結合された光検出器を備える、請求項104記載の装置。
[請求項107］
偏光解析器が、偏光器の光軸からオフセットされた光軸を有する、請求項106記載の装置。
[請求項108］
光検出器が、該光検出器の出力を増幅するための増幅器を更に備える、請求項106記載の装置。
[請求項109］
制御サブシステムが、光検出器の出力を測定値を表すデジタルサンプルへと変換するためのアナログ-デジタル変換器、および前記デジタルサンプルを記憶するためのメモリを備える、請求項106記載の装置。
[請求項110］
制御サブシステムが、磁気媒体の回転の速度、カー信号測定値を得る速度、および印加磁場の強度の変化を規定するプロファイルに基づいて一連の測定値の組への群分けを行うコントローラを備える、請求項102記載の装置。
[請求項111］
制御サブシステムが、印加磁場の強度の変化を規定するプロファイルをユーザが設定できるようにするコンピュータ制御パネルを備える、請求項110記載の装置。
[請求項112］
制御サブシステムが、少なくとも1つのセクタの少なくとも1つの磁気特性を示す図形(graphical)情報を表示するようにディスプレイユニットを駆動させるための命令を実行するコンピュータユニットを備える、請求項101記載の装置。
[請求項113］
コンピュータユニットが、セクタのうちの複数のセクタの少なくとも1つの磁気特性を示す図形情報を同時に表示するようにディスプレイユニットを駆動させるための命令を更に実行する、請求項112記載の装置。
[請求項114］
少なくとも1つの磁気特性が残留磁気を含む、請求項101記載の装置。
[請求項115］
少なくとも1つの磁気特性が磁気保磁力を含む、請求項101記載の装置。
[請求項116］
強度が時間的に変動する磁場を、磁気媒体の一部に対して印加する段階;
偏光された光ビームを、磁場内にある磁気媒体の部分へ向けて方向付ける段階であって、前記光ビームが前記磁場内の入射点で前記磁気媒体の表面によって反射される、段階;
入射点が磁気媒体の表面上のトラックに沿って複数のセクタのそれぞれを繰り返し横切るようにするべく磁気媒体を光ビームに対して移動させる段階;
反射された光ビームの一連のカー信号測定値を得る段階;および
個々の組におけるカー信号測定値が、前記セクタのうちの対応するセクタ内に入射点が存在していた間に得られたカー信号測定値となるようにするべく、一連のカー信号測定値を組へと群分けする段階;および
対応する組におけるカー信号測定値から、少なくとも1つのセクタの少なくとも1つの磁気特性を決定する段階
を含む、磁気媒体を検査する方法。
[請求項117］
印加磁場の一連の磁場強度測定値を得る段階であって、前記磁場強度測定値がカー信号測定値と同期して得られる、段階;
個々の組における磁場強度測定値が、前記セクタのうちの対応するセクタ内に入射点が存在していた間に得られた磁場強度測定値となるようにするべく、一連の磁場強度測定値を組へと群分けする段階;ならびに
カー信号測定値の対応する組におけるカー信号測定値から、および磁場強度測定値の対応する組における磁場強度測定値から、少なくとも1つのセクタの少なくとも1つの磁気特性を決定する段階
を含む、請求項116記載の方法。
[請求項118］
少なくとも1つのセクタの少なくとも1つの磁気特性を決定する段階が、
カー信号測定値の対応する組におけるカー信号測定値を、磁場強度測定値の対応する組における磁場強度測定値に対してプロットすることにより、ヒステリシスループを得ること;および
ヒステリシスループから、少なくとも1つの磁気特性を得ること
を含む、請求項117記載の方法。
[請求項119］
少なくとも1つの磁気特性が残留磁気を含む、請求項118記載の方法。
[請求項120］
少なくとも1つの磁気特性が磁気保磁力を含む、請求項118記載の方法。
[請求項121］
移動させる段階が回転させることを含み、セクタのそれぞれが、磁気媒体が1回転を行うのにかかる時間に対応する周期のパルス磁場にさらされる、請求項116記載の方法。
[請求項122］
カー信号測定値が、磁場が無いときの基準方向に対する偏光回転角を示す、請求項116記載の方法。
[請求項123］
反射光ビームからカー信号測定値を得るために、反射光ビームが偏光解析器および光検出器によって処理される、請求項116記載の方法。
[請求項124］
カー信号測定値を得るために光検出器の出力をサンプリングする段階を更に含む、請求項123記載の方法。
[請求項125］
カー信号測定値を得るために光検出器の増幅された出力をサンプリングする段階を更に含む、請求項123記載の方法。
[請求項126］
サンプリングする段階が、所定のサンプリングレートで行われ、群分けする段階が、前記サンプリングレートの関数として行われる、請求項125記載の方法。
[請求項127］
移動させる段階が回転させることを含み、群分けする段階が、磁気媒体が回転する速度の関数としても行われる、請求項126記載の方法。
[請求項128］
群分けする段階が、セクタのそれぞれの円弧長さの関数としても行われる、請求項127記載の方法。
[請求項129］
磁気媒体の新たな回転を示すためにトリガ信号を提供する段階を更に含む方法であって、群分けする段階が、前記トリガ信号が受け取られる時期の関数としても行われる、請求項128記載の方法。
[請求項130］
磁気媒体の回転と同期してクロック信号を提供する段階を更に含む方法であって、サンプリングする段階が前記クロック信号と同期される、請求項127記載の方法。
[請求項131］
磁場を印加する段階が、所定のプロファイルにしたがって、所定の値の範囲にわたって磁場の強度を掃引することを含む、請求項130記載の方法。
[請求項132］
プロファイルがユーザによって設定される、請求項131記載の方法。
[請求項133］
カー信号測定値が、入射点における磁気光学カー効果の兆候を示す、請求項116記載の方法。
[請求項134］
特定のセクタに対応するカー信号測定値の組における各測定値が、入射点による前記特定のセクタの1回の横断中に取得されるカー信号の複数のサンプルの平均である、請求項116記載の方法。
[請求項135］
入射点を含む円形トラックが特定の被検査トラックに対応するように、磁気ディスクを平行移動させる段階を事前段階として更に含む、請求項133記載の方法。
[請求項136］
被検査トラックのユーザから知識を受け取る段階を更に含む、請求項135記載の方法。
[請求項137］
少なくとも2つのセクタの少なくとも1つの磁気特性を同時に図形により伝える段階を更に含む、請求項136記載の方法。
[請求項138］
方向付ける段階が、連続的なカー信号測定値の取得ごとに光ビームがオフにされて再びオンにされるように間欠的である、請求項116記載の方法。
[請求項139］
強度が時間的に変動する磁場を、磁気媒体の一部に対して印加するための手段;
偏光された光ビームを、磁場内にある磁気媒体の部分へ向けて方向付けるための手段であって、前記光ビームが前記磁場内の入射点で前記磁気媒体の表面によって反射される、手段;
入射点が磁気媒体の表面上のトラックに沿って複数のセクタのそれぞれを繰り返し横切るようにするべく磁気媒体を光ビームに対して移動させるための手段;
反射された光ビームの一連のカー信号測定値を得るための手段;
個々の組におけるカー信号測定値が、前記セクタのうちの対応するセクタ内に入射点が存在していた間に得られたカー信号測定値となるようにするべく、一連のカー信号測定値を組へと群分けするための手段;および
対応する組におけるカー信号測定値から、少なくとも1つのセクタの少なくとも1つの磁気特性を決定するための手段
を備える、磁気媒体を検査するための装置。
[請求項140］
命令を含むコンピュータ可読媒体であって、
前記命令がコンピュータ装置によって実行されると、該命令が、
測定値の時系列を受け取る段階であって、各測定値が、磁気媒体の複数のセクタの中からの個々のセクタ内での磁気光学カー効果の兆候を潜在的に表す、段階;
測定値の時系列を測定値群の組へと群分けする段階であって、異なる組からの群が、時間インターリーブ処理(time-interleave)され、前記セクタのうちの個々のセクタ内での磁気光学カー効果の兆候を潜在的に表す測定値が、前記組のうちの同じ組内からの測定値群の中に分布している、段階;
前記組のうちの対応する組における測定値群から、前記セクタのうちの複数のセクタの少なくとも1つの磁気特性を決定する段階;および
前記セクタのうちの複数のセクタの少なくとも1つの磁気特性の表示を出力する段階
を含む方法を、コンピュータ装置に実施させる、
コンピュータ可読媒体。
[請求項141］
出力する段階が、セクタのうちの複数のセクタの少なくとも1つの磁気特性を同時に図形により伝えることを含む、請求項140記載のコンピュータ可読媒体。
【国際調査報告】
2010537355.tif 000017
2010537355.tif 000018
2010537355.tif 000019